(57)【要約】      （修正有）【課題】融雪効率のよい融雪槽を提供すると共に、融雪水の有効利用を図る。【解決手段】スノーダクト方式の屋根２Ａに設けたルーフドレン２Ｂ、浴槽２Ｃ、トイレ２Ｄなどが設けられている建物２において、建物２に設けた高置水槽３と防火兼融雪槽からなり、防火兼融雪槽は槽内の上部を加温するよう構成され、屋上に降る雨をルーフドレンから高置水槽に入れて溜めて置き、これをトイレ、散水器、浴槽、防火兼融雪槽などに必要時に配水する。【選択図】        図１
2004278042.tif 000002
【特許請求の範囲】
【請求項１】
底部（１Ａ１）と側壁（１Ａ２）と天板（１Ａ３）から構成され、屋外において地中に埋設した状態で設置されている槽部（１Ａ）と、天板（１Ａ３）の下面に添着された断熱材（１Ａ４）と、天板の中央部に設けられた開閉自在の蓋（１Ａ５１）を有する点検兼雪投入口（１Ａ５）と、槽部（１Ａ）の下方中心より上方に向け配管された水噴出パイプ（１Ａ６）と、天板（１Ａ３）の下面に下方に作用するよう配設された熱源（１Ａ７）と、側壁（１Ａ２）の上方部分にオーバーフローパイプとして連結された排水パイプ（１Ａ８）から構成されていることを特徴とする防火兼融雪槽。
【請求項２】
底部（１Ａ１）と側壁（１Ａ２）と天板（１Ａ３）から構成され、屋外において地中に埋設した状態で設置されている槽部（１Ａ）と、天板（１Ａ３）の下面に添着された断熱材（１Ａ４）と、天板の中央部に設けられた開閉自在の蓋（１Ａ５１）を有する点検兼雪投入口（１Ａ５）と、槽部（１Ａ）の下方中心より上方に向け配管された水噴出パイプ（１Ａ６）と、天板（１Ａ３）の下面に下方に作用するよう配設された熱源（１Ａ７）と、側壁（１Ａ２）の上方部分にオーバーフローパイプとして連結された排水パイプ（１Ａ８）と、点検兼雪投入口の内周辺より槽部内に垂下された垂壁（１Ａ９）から構成されていることを特徴とする防火兼融雪槽。
【請求項３】
請求項１あるいは請求項２記載の防火兼融雪槽において、天板（１Ａ３）の下面に反射板が張設されていることを特徴とする防火兼融雪槽。
【請求項４】
請求項１あるいは請求項２記載の防火兼融雪槽において、熱源（１Ａ７）として電灯、ヒータ、温風送風機などが使用されていることを特徴とする防火兼融雪槽。
【請求項５】
スノーダクト方式の屋根（２Ａ）に設けられたルーフドレン（２Ｂ）と、浴槽（２Ｃ）と、トイレ（２Ｄ）などが設けられている建物（２）において、高置水槽（３）と、請求項１ないし請求項４のいずれかに記載の防火兼融雪槽から構成され、高置水槽（３）は、底部（３Ａ）と側壁（３Ｂ）から構成され、建物（２）において、ルーフドレン（２Ｂ）の設置位置より下方位置で、浴槽（２Ｃ）、トイレ（２Ｄ）の設置位置より上方位置をもって設けられ、防火兼融雪槽は、屋外において、浴槽（２Ｃ）、トイレ（２Ｄ）の設置位置より下方位置をもって設けられ、屋上に降る雨をルーフドレンから高置水槽に入れて溜めて置き、落差を利用して配管を通じ、トイレ、散水器、浴槽、防火兼融雪槽などに必要時に配水するよう構成されていることを特徴する雨水や融雪水などの循環装置。
【発明の詳細な説明】
【０００１】
【発明の属する技術分野】
本発明は、新規な構成を有する防火兼融雪槽と雨水や融雪水などの循環装置に関するものである。
【０００２】
【従来の技術】
従来の水の有効利用については、出願人は先に特開２００１−３０３５２８号公報（特許文献１参照）のものを提案した。
その概略は下記の通りである。
浴槽の水を融雪槽に流し使用する。雨水をトイレに流し使用するにしても、使用後すぐ排水溝に流すので有効利用にはならない。そこで、さらに建物内の高置水槽などを利用し浴槽、トイレ、防火兼融雪槽にも使用できるものである。
トイレの使用水はそのまま下水に流す。
【０００３】
【特許文献１】
特開２００１−３０３５２８号公報
【０００４】
【発明が解決しようとする課題】
従来の技術で述べたものにあっては、下記のような問題点を有していた。
特に、防火兼融雪槽にあっては、大雪の場合、当該防火兼融雪槽の容量が限られているので、ある程度の早さで融雪できないと次の雪の投入までに時間がかかるなどの問題がある。
【０００５】
本発明は、従来の技術の有するこのような問題点に鑑みなされたものであり、その目的とするところは、上述の問題を解決できるものを提供しようとするものである。
【０００６】
【課題を解決するための手段】
上記目的を達成するために、本発明は下記のようになるものである。
請求項１記載の発明は、底部１Ａ１と側壁１Ａ２と天板１Ａ３から構成され、屋外において地中に埋設した状態で設置されている槽部１Ａと、天板１Ａ３の下面に添着された断熱材１Ａ４と、天板の中央部に設けられた開閉自在の蓋１Ａ５１を有する点検兼雪投入口１Ａ５と、槽部１Ａの下方中心より上方に向け配管された水噴出パイプ１Ａ６と、天板１Ａ３の下面に下方に作用するよう配設された熱源１Ａ７と、側壁１Ａ２の上方部分にオーバーフローパイプとして連結された排水パイプ１Ａ８から構成されていることを特徴とする。
【０００７】
請求項２記載の発明は、底部１Ａ１と側壁１Ａ２と天板１Ａ３から構成され、屋外において地中に埋設した状態で設置されている槽部１Ａと、天板１Ａ３の下面に添着された断熱材１Ａ４と、天板の中央部に設けられた開閉自在の蓋１Ａ５１を有する点検兼雪投入口１Ａ５と、槽部１Ａの下方中心より上方に向け配管された水噴出パイプ１Ａ６と、天板１Ａ３の下面に下方に作用するよう配設された熱源１Ａ７と、側壁１Ａ２の上方部分にオーバーフローパイプとして連結された排水パイプ１Ａ８と、点検兼雪投入口の内周辺より槽部内に垂下された垂壁１Ａ９から構成されていることを特徴とする。
【０００８】
請求項３記載の発明は、請求項１あるいは請求項２記載の発明において、天板１Ａ３の下面に反射板が張設されていることを特徴とする。
【０００９】
請求項４記載の発明は、請求項１あるいは請求項２記載の発明において、熱源１Ａ７として電灯、ヒータ、温風送風機などが使用されていることを特徴とする。
【００１０】
請求項５記載の発明は、スノーダクト方式の屋根２Ａに設けられたルーフドレン２Ｂと、浴槽２Ｃと、トイレ２Ｄなどが設けられている建物２において、高置水槽３と、請求項１ないし請求項４のいずれかに記載の防火兼融雪槽から構成され、高置水槽３は、底部３Ａと側壁３Ｂから構成され、建物２において、ルーフドレン２Ｂの設置位置より下方位置で、浴槽２Ｃ、トイレ２Ｄの設置位置より上方位置をもって設けられ、防火兼融雪槽は、屋外において、浴槽２Ｃ、トイレ２Ｄの設置位置より下方位置をもって設けられ、屋上に降る雨をルーフドレンから高置水槽に入れて溜めて置き、落差を利用して配管を通じ、トイレ、散水器、浴槽、防火兼融雪槽などに必要時に配水するよう構成されていることを特徴とする。
【００１１】
【発明の実施の形態】
以下、本発明の実施の形態を実施例にもとづき図面を参照して説明する。
イは第１発明の防火兼融雪槽で、底部１Ａ１と側壁１Ａ２と天板１Ａ３から構成され、屋外において地中に埋設した状態で設置されている槽部１Ａと、天板１Ａ３の下面に添着された断熱材１Ａ４と、天板の中央部に設けられた開閉自在の蓋１Ａ５１を有する点検兼雪投入口１Ａ５と、槽部１Ａの下方中心より上方に向け配管された水噴出パイプ１Ａ６と、天板１Ａ３の下面に下方に作用するよう配設された熱源１Ａ７と、側壁１Ａ２の上方部分にオーバーフローパイプとして連結された排水パイプ１Ａ８から構成されている。
この場合、熱源１Ａ７としては、電灯１Ａ７１、ヒータ１Ａ７２、温風送風機１Ａ７３などがある。（図１参照）
また、天板の下面に反射板を張設することができる。
【００１２】
ロは第２発明の防火兼融雪槽で、底部１Ａ１と側壁１Ａ２と天板１Ａ３から構成され、屋外において地中に埋設した状態で設置されている槽部１Ａと、天板１Ａ３の下面に添着された断熱材１Ａ４と、天板の中央部に設けられた開閉自在の蓋１Ａ５１を有する点検兼雪投入口１Ａ５と、槽部１Ａの下方中心より上方に向け配管された水噴出パイプ１Ａ６と、天板１Ａ３の下面に下方に作用するよう配設された熱源１Ａ７と、側壁１Ａ２の上方部分にオーバーフローパイプとして連結された排水パイプ１Ａ８と、点検兼雪投入口の内周辺より槽部内に垂下された垂壁１Ａ９から構成されている。（図２参照）
この場合、熱源１Ａ７としては、電灯１Ａ７１、ヒータ１Ａ７２、温風送風機１Ａ７３などとすることができる。
また、後述防火兼融雪槽ロ１の場合と同様に天板１Ａ３の下面に反射板１Ａ３１を張設することができる。
【００１３】
ロ１は第２発明の他の実施例の防火兼融雪槽で、図３を参照して、第２発明の防火兼融雪槽ロにおいて、天板１Ａ３の下面に反射板１Ａ３１が張設され、熱源１Ａ７としてヒータ１Ａ７２が取付けられている。
【００１４】
ロ２は第２発明の他の実施例の防火兼融雪槽で、図４を参照して、第２発明の防火兼融雪槽ロにおいて、熱源１Ａ７として温風送風機１Ａ７３が取付けられている。
【００１５】
１は第３発明としての雨水や融雪水などの循環装置で、建物２と、高置水槽３と、防火兼融雪槽イから構成されている。（図５参照）
Ａ．建物２は、例えばスノーダクト方式の屋根２Ａに設けられたルーフドレン２Ｂと、浴槽２Ｃと、トイレ２Ｄなどが設けられている。
Ｂ．高置水槽３は、底部３Ａと側壁３Ｂから構成され、建物２において、ルーフドレン２Ｂの設置位置より下方位置で、浴槽２Ｃ、トイレ２Ｄの設置位置より上方位置をもって設けられている。
Ｃ．防火兼融雪槽イは、浴槽２Ｃ、トイレ２Ｄの設置位置より下方位置をもって建物２の近傍に地中に埋設した状態で設置されている。
Ｄ．ルーフドレン２Ｂに連結された第１パイプＰ１の下端は、高置水槽３における側壁３Ｂの上端近傍に連結されている。
Ｅ．高置水槽３における側壁３Ｂの下方部分に浄水器４を介して連結された第２パイプＰ２の先端は、建物２の外部に引出されて蛇口５が取付けられ、この第２パイプＰ２の途中より第３パイプＰ３と第４パイプＰ４が分岐され、第３パイプＰ３は蛇口を介して浴槽２Ｃの上面開口部に開口され、第４パイプＰ４はトイレ２Ｄに連結されている。
第２パイプＰ２に取付けられた蛇口５には、例えば公知の散水器５Ａを連結することができる。
【００１６】
Ｆ．高置水槽３における側壁３Ｂの下方部分に連結された第５パイプＰ５の下端は、水噴出パイプ１Ａ６に連結されている。
そして、第５パイプＰ５の上端には通気パイプＰ５１が連結されている。
Ｇ．浴槽２Ｃからの排水パイプとして連結された第６パイプＰ６の下端は、防火兼融雪槽イの側壁１Ａ２における上方部分で開口されている。
Ｈ．防火兼融雪槽イの側壁１Ａ２における下方部分に、防火兼融雪槽側から浄水器６、ポンプ７を介して連結された第７パイプＰ７の上端は、高置水槽３の上面開口部に対して開口されている。
Ｉ．高置水槽３の側壁３Ｂにおける上方位置に連結された第８パイプＰ８の下端は、防火兼融雪槽イにおける上方位置で開口されている。
Ｊ．防火兼融雪槽イの側壁１Ａ２の上方部分にオーバーフローパイプとして連結された第９パイプ１Ａ８の先端は、公知の排水溝８に連結されている。
【００１７】
１１は第４発明としての雨水や融雪水などの循環装置で、建物２と、高置水槽３と、防火兼融雪槽については防火兼融雪槽ロ、防火兼融雪槽ロ１、防火兼融雪槽ロ２のうちのいずれかで構成されている。（図６参照）
Ａ．建物２は、例えばスノーダクト方式の屋根２Ａに設けられたルーフドレン２Ｂと、浴槽２Ｃと、トイレ２Ｄなどが設けられている。
Ｂ．高置水槽３は、底部３Ａと側壁３Ｂから構成され、建物２において、ルーフドレン２Ｂの設置位置より下方位置で、浴槽２Ｃ、トイレ２Ｄの設置位置より上方位置をもって設けられている。
Ｃ．防火兼融雪槽ロ、防火兼融雪槽ロ１、防火兼融雪槽ロ２は、浴槽２Ｃ、トイレ２Ｄの設置位置より下方位置をもって建物２の近傍に地中に埋設した状態で設置されている。
Ｄ．ルーフドレン２Ｂに連結された第１パイプＰ１の下端は、高置水槽３における側壁３Ｂの上端近傍に連結されている。
Ｅ．高置水槽３における側壁３Ｂの下方部分に浄水器４を介して連結された第２パイプＰ２の先端は、建物２の外部に引出されて蛇口５が取付けられ、この第２パイプＰ２の途中より第３パイプＰ３と第４パイプＰ４が分岐され、第３パイプＰ３は蛇口を介して浴槽２Ｃの上面開口部に開口され、第４パイプＰ４はトイレ２Ｄに連結されている。
第２パイプＰ２に取付けられた蛇口５には、例えば公知の散水器５Ａを連結することができる。
【００１８】
Ｆ．高置水槽３における側壁３Ｂの下方部分に連結された第５パイプＰ５の下端は、水噴出パイプ１Ａ６に連結されている。
そして、第５パイプＰ５の上端には通気パイプＰ５１が連結されている。
Ｇ．浴槽２Ｃからの排水パイプとして連結された第６パイプＰ６の下端は、防火兼融雪槽ロ、ロ１、ロ２の側壁１Ａ２における上方部分で開口されている。
Ｈ．防火兼融雪槽ロ、ロ１、ロ２の側壁１Ａ２における下方部分に、防火兼融雪槽側から浄水器６、ポンプ７を介して連結された第７パイプＰ７の上端は、高置水槽３の上面開口部に対して開口されている。
Ｉ．高置水槽３の側壁３Ｂにおける上方位置に連結された第８パイプＰ８の下端は、防火兼融雪槽ロ、ロ１、ロ２の上方位置で開口されている。
Ｊ．防火兼融雪槽ロ、ロ１、ロ２の側壁１Ａ２の上方部分にオーバーフローパイプとして連結された第９パイプ１Ａ８の先端は、公知の排水溝８に連結されている。
【００１９】
【発明の効果】
本発明の効果を作用と共に説明する。
Ａ．防火兼融雪槽について
１．防火兼融雪槽における点検兼雪投入口を中央に設けたので下記の効果を期待できる。
投入されシャーベット状になった雪塊は、防火兼融雪槽内の左右に分かれ熱源で溶かしやすくすることができる。
２．槽部の下方中心より上方に向けた水噴出パイプからの水圧による水の吹き出しが水面上より２０ｃｍ程度突出するので、投入された雪がある程度溶けたのち、水を含んだ５〜７ｃｍほどの玉状の雪となって防火兼融雪槽における両側における水面下１０ｃｍほどの位置に溜る。
このように溜った玉状の雪を溶かすのに時間がかかるが、点検兼雪投入口の蓋を閉めて熱源に通電し防火兼融雪槽内上部の空気を暖める。
これにより玉状の雪が上部から溶けることになる。
空気温が２０℃の場合、約２０分で玉状の雪をすべて溶かすことができた。
すなわち、防火兼融雪槽内の水を暖めるよりも防火兼融雪槽内上部の空気を暖める方が数倍早く雪が溶け、熱量も数分の一で済むことが確認できた。
防火兼融雪槽内の水を熱源により温水にしても一度雪を投入すると、水温は１〜３℃に下がる。これを再加熱して温水にするには相当の熱量と時間が必要となる。
本発明のように防火兼融雪槽内上部の空気を暖める場合、常時熱を供給するので玉状の雪が溶けても防火兼融雪槽内上部の空気温はごく少ししか低下しない。
最上部の玉状の雪が溶けて水になると、この玉状の雪の下方に位置する玉状の雪が浮き上がって溶けることになる。
このような作用を繰り返しながら融雪が行われることになる。
熱源の制御にはタイマー、サーモスタットなどを使用できるから、熱を効率のよい状態で使用できる。
このように水圧による水の吹き上げ作用と防火兼融雪槽内上部の空気を暖める作用により飛躍的な融雪効果を期待することができる。
３．点検兼雪投入口の内周辺より槽部内に垂壁１Ａ９を垂下したものにあっては下記の効果を期待できる。
熱を拡散しないで玉状の雪の上部に熱が溜る状態になるので、集中的に融雪できる。
【００２０】
Ｂ．雨水や融雪水などの循環装置について
１．屋上に降る雨をルーフドレンから高置水槽に入れて溜めて置き、落差を利用して配管を通じ、トイレ、散水器、浴槽その他に必要時に配水することができる。
２．浴槽では、高置水槽から導入された水に、公知の湯沸かし器による湯を加えることで入浴できる。
また、浴槽の排水を外部の防火兼融雪槽に溜めることができる。
３．雨量の多い時はオーバーフローで直接防火兼融雪槽に入れることができる。
そして、寒冷地においては、冬期間、防火兼融雪槽を融雪槽として使用することができる。
４．防火兼融雪槽の水は、第７パイプＰ７により浄水器を通り、ポンプで高置水槽に戻し循環させることができる。
５．防火兼融雪槽の水の量が多いときは、オーバーフローパイプで排水溝に流すことができる。
６．降雪の排雪は大変労力のいる作業である。
敷地内に防火兼融雪槽を設け雪を投入するだけで、既に地下水温になっている当該防火兼融雪槽内で自然に溶かすことができる。
７．防火兼融雪槽内には常時雨水が入っているので、防火水槽として火災時に備えることができる。
８．以上のような水の使用方法により、水道水の使用量を２分の１程度減少させることができる。
同時に、融雪槽、防火水槽の用途に供することができ、雪対策、火災対策としても確実なものとなる。
厄介物の雪を有効に利用できる。
雪の場合も、雨同様高置水槽に入れ同じ方法とする。
９．高置水槽より防火兼融雪槽への結水をＺ式配管として構成されているから、防火兼融雪槽の中央部で落差を利用して上方に向け排水すると共に、防火兼融雪槽内上部の空気を暖めることになり、上述したような融雪効果を期待することができる。
この際、浄水器は使用しない。
従って、大量に雪の投入ができる。
１０．雨は自然の恵みである。これを有効に利用することで、水を使用するシステムを変えることができ、生活コストを下げることができる。
【図面の簡単な説明】
【図１】第１発明の防火兼融雪槽の縦断面図である。
【図２】第２発明の防火兼融雪槽の縦断面図である。
【図３】第２発明の防火兼融雪槽における他の実施例の縦断面図である。
【図４】第２発明の防火兼融雪槽における他の実施例の縦断面図である。
【図５】第３発明の構成図である。
【図６】第４発明の構成図である。
【符号の説明】
イ  第１発明の防火兼融雪槽
１Ａ  槽部
１Ａ４  断熱材
１Ａ５  点検兼雪投入口
１Ａ６  水噴出パイプ
１Ａ７  熱源
１Ａ８  排水パイプ
ロ  第２発明の防火兼融雪槽
１Ａ９  垂壁
ロ１  第２発明の他の実施例の防火兼融雪槽
ロ２  第２発明の他の実施例の防火兼融雪槽
１  第３発明の雨水や融雪水などの循環装置
２  建物
３  高置水槽
１１  第４発明の雨水や融雪水などの循環装置
【図１】
2004278042.tif 000003
【図２】
2004278042.tif 000004
【図３】
2004278042.tif 000005
【図４】
2004278042.tif 000006
【図５】
2004278042.tif 000007
【図６】
2004278042.tif 000008